(57)【特許請求の範囲】
【請求項１】
一端に流入側接続口が形成されかつ他端に流出側接続口が形成された直管状の横筒部と、
上方に開口した点検口を有し、前記横筒部から上方に延びる縦筒部と、
前記流入側接続口の開口方向と同じ方向に開口する枝管接続口を有し、前記縦筒部から前記流入側接続口の開口方向に延びる副筒部と、を備え、
前記流入側接続口の開口方向を左方、前記流出側接続口の開口方向を右方としたときに、
前記縦筒部を左方から右方に向かって見たときに、前記枝管接続口は前記流入側接続口の斜め上方に配置され、
前後方向に関して、前記横筒部および前記副筒部の全体の前端は、前記点検口の前端と同じ位置または前記点検口の前端よりも後方に位置し、前記横筒部および前記副筒部の全体の後端は、前記点検口の後端と同じ位置または前記点検口の後端よりも前方に位置している、排水ます。
【請求項２】
前記副筒部は、平面視において前記点検口の内側に位置する部分の左端から右方に突出し、前記副筒部の内部と前記横筒部の内部とを部分的に仕切る仕切壁を備えている、請求項１に記載の排水ます。
【請求項３】
前記仕切壁のうち前記副筒部の軸線に近い方の壁面は、水平面に対する傾斜角度が前記副筒部の軸線から遠ざかるほど大きくなるように形成されている、請求項２に記載の排水ます。
【請求項４】
前記仕切壁のうち前記副筒部の軸線に近い方の壁面は、前記副筒部の軸線を中心とする円弧面に形成されている、請求項３に記載の排水ます。
【請求項５】
平面視において、前記仕切壁と前記横筒部の軸線との距離は、前記副筒部の下半部の右端と前記横筒部の軸線との距離よりも短い、請求項２〜４のいずれか一つに記載の排水ます。
【請求項６】
平面視において、前記副筒部の下半部は、前記点検口の内側に位置しかつ前記仕切壁の右端と前記下半部の右端とをつなぐ下縁を有し、
前記下縁は、平面視において、前記横筒部の軸線に対する傾斜角度が右方に行くほど小さくなるような曲線状に形成されている、請求項５に記載の排水ます。
【請求項７】
前記縦筒部は、平面視において前記点検口の内側に位置しかつ上方に延びる縦壁を有し、
前記縦壁は、平面視において、前記副筒部の軸線に対して前記横筒部の軸線の側と反対の側から、右方に行くほど前記横筒部の軸線に近づくように前記副筒部の軸線に対して傾斜した方向に延び、
平面視において、前記下縁と前記縦壁とは前記点検口の内側にて交わっている、請求項６に記載の排水ます。
【請求項８】
前記枝管接続口の中心は、前記流入側接続口の上端よりも上方に位置している、請求項１〜７のいずれか一つに記載の排水ます。
【請求項９】
請求項１〜８のいずれか一つに記載の排水ますと、
前記排水ますの前記流入側接続口に接続された第１の主管と、
前記排水ますの前記流出側接続口に接続された第２の主管と、
前記排水ますの前記枝管接続口に接続された枝管と、を備え、
前記枝管は、平面視において、前記枝管接続口からいったん前記枝管接続口の開口方向に延びてから、前記横筒部の軸線に対して前記副筒部の軸線が位置する側と逆側に向かって延びる曲がり部を有している、排水管路。
【請求項１０】
平面視において、前記横筒部の軸線に対して前記副筒部の軸線が位置する側と逆側に、建物の基礎が設けられ、
前記第１の主管および前記第２の主管は、前記基礎と平行に配置され、
前記枝管は、前記基礎を貫通している、請求項９に記載の排水管路。
【発明の詳細な説明】
【技術分野】
【０００１】
本発明は、排水ますおよびそれを備えた排水管路に関する。
【背景技術】
【０００２】
建物から下水管へ排水を排出する排水管路には、点検が容易なように排水ますが設けられる。排水管路は、下水管に向かって排水を排出する主管と、建物から主管に向かって排水を導く枝管とを備える。排水ますは、主管に接続される流入側および流出側の接続口と、枝管が接続される枝管接続口と、上方に向かって開口する点検口とを備える。排水管路は、例えば宅地内において、主管が建物の基礎と平行になるように建物の基礎の側方に配置される。以下、排水管路のうち、平面視において主管の延びる方向と垂直な方向の寸法を「排水管路の幅」と呼ぶこととする。
【０００３】
狭小地に設置可能なように、排水管路の幅は小さい方が好ましい。特許文献１には、枝管接続口が流入側接続口の斜め上方に配置され、流入側接続口および枝管接続口が同一の方向に開口した排水ますが開示されている。このような排水ますを用いることにより、枝管のうち排水ますと接続される部分を主管と平行に配置することができ、主管を基礎に近づけて設置することができる。よって、排水管路を狭小地に設置することが可能となる。
【０００４】
ところが、従来の排水ますでは、その一部が平面視において点検口から幅方向にはみ出しているため、排水管路の幅を更に小さくすることは難しかった。特許文献２には、枝管接続口を流入側接続口の真上に配置した排水ますが提案されている。この排水ますによれば、排水管路の幅を更に小さくすることができ、排水管路をより狭小なスペースに設置することが可能となる。
【先行技術文献】
【特許文献】
【０００５】
【特許文献１】実用新案登録第２５５４３２５号公報
【特許文献２】特開平７−８２７８７号公報
【発明の概要】
【発明が解決しようとする課題】
【０００６】
しかし、特許文献２に開示された排水ますでは、上下方向の寸法が大きくなってしまう。そのため、排水ますの施工時に、地面をより深く掘らなければならず、施工に手間および時間がかかるという問題がある。
【０００７】
本発明はかかる点に鑑みてなされたものであり、その目的は、主管に接続される流入側および流出側の接続口と枝管が接続される枝管接続口とを備え、幅および上下方向の寸法が小さな排水ますを提供することである。
【課題を解決するための手段】
【０００８】
本発明に係る排水ますは、一端に流入側接続口が形成されかつ他端に流出側接続口が形成された直管状の横筒部と、上方に開口した点検口を有し、前記横筒部から上方に延びる縦筒部と、前記流入側接続口の開口方向と同じ方向に開口する枝管接続口を有し、前記縦筒部から前記流入側接続口の開口方向に延びる副筒部と、を備える。前記流入側接続口の開口方向を左方、前記流出側接続口の開口方向を右方としたときに、前記縦筒部を左方から右方に向かって見たときに、前記枝管接続口は前記流入側接続口の斜め上方に配置され、前後方向に関して、前記横筒部および前記副筒部の全体の前端は、前記点検口の前端と同じ位置または前記点検口の前端よりも後方に位置し、前記横筒部および前記副筒部の全体の後端は、前記点検口の後端と同じ位置または前記点検口の後端よりも前方に位置している。
【０００９】
上記排水ますによれば、前後方向に関して、横筒部および副筒部の全体が点検口の前端と後端との間に位置している。そのため、横筒部および副筒部は、点検口よりも前方および後方に出っ張らない。したがって、排水ますの幅を小さくすることができる。また、枝管接続口は流入側接続口の斜め上方に配置されているので、枝管接続口が流入側接続口の真上に配置されている場合に比べて、排水ますの上下方向の寸法を小さくすることができる。
【００１０】
本発明の好ましい一態様によれば、前記副筒部は、平面視において前記点検口の内側に位置する部分の左端から右方に突出し、前記副筒部の内部と前記横筒部の内部とを部分的に仕切る仕切壁を備えている。
【００１１】
上記排水ますによれば、枝管接続口と流入側接続口とが接近しているので、枝管接続口から流入側接続口への逆流が懸念される。しかし、上記態様によれば、平面視において点検口の内側に位置する部分の左端から右方に突出した仕切壁を備えている。この仕切壁により、枝管接続口から流入側接続口への逆流が抑制される。したがって、枝管接続口から流入側接続口への逆流を抑えつつ、排水ますの幅および上下方向の寸法を小さくすることができる。
【００１２】
本発明の好ましい他の一態様によれば、前記仕切壁のうち前記副筒部の軸線に近い方の壁面は、水平面に対する傾斜角度が前記副筒部の軸線から遠ざかるほど大きくなるように形成されている。
【００１３】
上記態様によれば、副筒部の軸線から遠ざかるほど仕切壁の上記壁面の傾斜角度が大きくなるので、副筒部内の排水は、仕切壁を乗り越えて横筒部内に流れ込みにくい。そのため、枝管接続口から流入側接続口への逆流を効果的に抑制することができる。
【００１４】
本発明の好ましい他の一態様によれば、前記仕切壁のうち前記副筒部の軸線に近い方の壁面は、前記副筒部の軸線を中心とする円弧面に形成されている。
【００１５】
上記態様によれば、枝管接続口から流入する排水を副筒部内において円滑に流通させることができる。
【００１６】
本発明の好ましい他の一態様によれば、平面視において、前記仕切壁と前記横筒部の軸線との距離は、前記副筒部の下半部の右端と前記横筒部の軸線との距離よりも短い。
【００１７】
上記態様によれば、仕切壁が横筒部の軸線に近い位置に配置されているので、排水ますの幅を抑えつつ、副筒部内の流路の幅を十分に確保することができる。枝管接続口から流入する排水を流出側接続口に向けて円滑に流すことができるので、枝管接続口から流入側接続口への逆流を効果的に抑制することができる。
【００１８】
本発明の好ましい他の一態様によれば、平面視において、前記副筒部の下半部は、前記点検口の内側に位置しかつ前記仕切壁の右端と前記下半部の右端とをつなぐ下縁を有し、前記下縁は、平面視において、前記横筒部の軸線に対する傾斜角度が右方に行くほど小さくなるような曲線状に形成されている。
【００１９】
上記態様によれば、枝管接続口から流入した排水は、副筒部の下半部上を通過した後、上記下縁から横筒部に流入する。下縁が上述のような曲線状に形成されているので、下縁のうち仕切壁に近い左側の部分を通過する排水ほど、軸線方向に流れやすくなる。そのため、枝管接続口から流入側接続口への逆流を効果的に抑制することができる。
【００２０】
本発明の好ましい他の一態様によれば、前記縦筒部は、平面視において前記点検口の内側に位置しかつ上方に延びる縦壁を有し、前記縦壁は、平面視において、前記副筒部の軸線に対して前記横筒部の軸線の側と反対の側から、右方に行くほど前記横筒部の軸線に近づくように前記副筒部の軸線に対して傾斜した方向に延び、平面視において、前記下縁と前記縦壁とは前記点検口の内側にて交わっている。
【００２１】
上記態様によれば、枝管接続口から排水が勢いよく流れてきたとしても、その排水は縦壁に当たって横筒部内に流れ込む。排水は縦壁により横筒部内に円滑に導かれる。平面視において、前記下縁と縦壁とは点検口の内側にて交わっている。そのため、副筒部内の排水は、より上流側の位置にて横筒部内に導かれる。
【００２２】
本発明の好ましい他の一態様によれば、前記枝管接続口の中心は、前記流入側接続口の上端よりも上方に位置している。
【００２３】
上記態様によれば、枝管接続口の中心と流入側接続口の中心との高低差を十分に確保することができるので、枝管接続口から流入側接続口への逆流を効果的に抑制することができる。
【００２４】
本発明に係る排水管路は、前記排水ますと、前記排水ますの前記流入側接続口に接続された第１の主管と、前記排水ますの前記流出側接続口に接続された第２の主管と、前記排水ますの前記枝管接続口に接続された枝管と、を備える。前記枝管は、平面視において、前記枝管接続口からいったん前記枝管接続口の開口方向に延びてから、前記横筒部の軸線に対して前記副筒部の軸線が位置する側と逆側に向かって延びる曲がり部を有している。
【００２５】
上記排水管路によれば、排水ますの幅が小さいので、排水管路の幅を小さくすることができる。よって、狭小地に設置することができる。また、枝管は上記曲がり部を有しているので、枝管内の排水は、平面視において、横筒部の軸線を跨ぐように回り込みながら流れる。これにより、排水は枝管接続口を通じて副筒部内に円滑に流れ込む。また、排水は仕切壁の外側を回り込むようにして流れるので、排水が仕切壁を乗り越えにくく、枝管接続口から流入側接続口への逆流を効果的に抑制することができる。
【００２６】
本発明の好ましい他の一態様によれば、平面視において、前記横筒部の軸線に対して前記副筒部の軸線が位置する側と逆側に、建物の基礎が設けられ、前記第１の主管および前記第２の主管は前記基礎と平行に配置され、前記枝管は前記基礎を貫通している。
【００２７】
上記態様によれば、排水管路を建物の基礎の近傍にコンパクトに設置することができる。
【発明の効果】
【００２８】
本発明によれば、主管に接続される流入側および流出側の接続口と枝管が接続される枝管接続口とを備え、幅および上下方向の寸法が小さな排水ますを提供することができる。
【図面の簡単な説明】
【００２９】
【図１】本発明の実施の一形態に係る排水管路の平面図である。
【図２】本発明の実施の一形態に係る排水ますの斜視図である。
【図３】上記排水ますの正面図である。
【図４】上記排水ますの平面図である。
【図５】上記排水ますの左側面図である。
【図６】上記排水ますの右側面図である。
【図７】図３のＶＩＩ−ＶＩＩ線断面図である。
【図８】上記排水ますの斜視図である。
【図９】図４のＩＸ−ＩＸ線断面図である。
【発明を実施するための形態】
【００３０】
以下、図面を参照しながら本発明の実施の一形態について説明する。図１は、本発明の実施の一形態に係る排水管路１の平面図である。この排水管路１は、建物（図示せず）から排出される排水を下水管（図示せず）に排出する管路であり、建物の基礎２の近傍に配置されている。排水管路１は地中に埋設される。本実施形態では排水管路１は、複数の主管３，４，５と、複数の枝管６，７と、複数の排水ます１０，１０Ａとを備えている。排水ます１０と排水ます１０Ａとは同一の構成を有しているので、以下では排水ます１０について説明し、排水ます１０Ａの説明は省略することとする。以下の説明では、始めに排水ます１０の構成を説明し、その後に排水管路１の構成を説明する。
【００３１】
以下の説明では、図２の矢印Ｆ、Ｒｅ、Ｌ、Ｒで表される方向を、それぞれ前方、後方、左方、右方とする。ただし、これらの方向は説明の便宜上定めた方向に過ぎず、排水ます１０の設置態様を何ら限定するものではない。図３、図４、図５、図６は、それぞれ排水ます１０の正面図、平面図、左側面図、右側面図である。
【００３２】
図２に示すように、排水ます１０は、左右方向に延びる横筒部２０と、横筒部２０から上方に延びる縦筒部３０と、縦筒部３０から左方に延びる副筒部４０とを備えている。本実施形態では、横筒部２０、縦筒部３０、および副筒部４０は、樹脂により一体成形されている。ただし、横筒部２０、縦筒部３０、および副筒部４０は、複数の部材を組み合わせることにより構成されていてもよい。
【００３３】
横筒部２０は真っ直ぐに延びる直管状に形成されている。横筒部２０の左端には、主管３が接続される流入側接続口２１が形成され、横筒部２０の右端には、主管４が接続される流出側接続口２２が形成されている。流入側接続口２１は左方に開口し、流出側接続口２２は右方に開口している。本実施形態では、流入側接続口２１は主管３が差し込まれる受口からなり、流出側接続口２２は主管４が差し込まれる受口からなっている。しかし、流入側接続口２１は主管３に差し込まれる差口であってもよく、流出側接続口２２は主管４に差し込まれる差口であってもよい。流入側接続口２１の内径と流出側接続口２２の内径とは等しい。ただし、流入側接続口２１の内径は流出側接続口２２の内径よりも小さくてもよく、大きくてもよい。流入側接続口２１と流出側接続口２２との間には、胴部２３が設けられている。
【００３４】
縦筒部３０は横筒部２０の胴部２３に接続されている。縦筒部３０の上端には、上方に開口する点検口３１が形成されている。点検口３１の下方には、胴部３２が設けられている。本実施形態では、点検口３１の外径は胴部３２の外径よりも大きくなっている。ただし、点検口３１の外径は特に限定されず、胴部３２の外径と等しくてもよい。
【００３５】
副筒部４０の左端には、枝管６が接続される枝管接続口４１が形成されている。枝管接続口４１は左方に開口している。枝管接続口４１は、流入側接続口２１の開口方向と同じ方向に開口している。図５に示すように、縦筒部３０を左方から右方に向かって見たときに、枝管接続口４１は流入側接続口２１の斜め上方に位置している。本実施形態では、縦筒部３０を左方から右方に向かって見たときに、枝管接続口４１は流入側接続口２１の右斜め上方に位置しているが、左斜め上方に位置していてもよい。枝管接続口４１の上端４１ｔは流入側接続口２１の上端２１ｔよりも上方に位置している。枝管接続口４１の下端４１ｓは、流入側接続口２１の上端２１ｔよりも下方に位置し、流入側接続口２１の下端２１ｓよりも上方に位置している。枝管接続口４１の中心４１ｃは、流入側接続口２１の上端２１ｔよりも上方に位置している。枝管接続口４１の前端４１ｆは流入側接続口２１の前端２１ｆよりも前方に位置している。枝管接続口４１の後端４１ｂは、流入側接続口２１の前端２１ｆよりも後方かつ後端２１ｂよりも前方に位置している。枝管接続口４１の内径は流入側接続口２１の内径よりも小さい。しかし、枝管接続口４１の内径は流入側接続口２１の内径と等しくてもよく、流入側接続口２１の内径よりも大きくてもよい。
【００３６】
図５に一点鎖線で示す直線３９ｆ、３９ｂは、それぞれ点検口３１の前端３１ｆ、後端３１ｂを通る左右方向に延びる鉛直面を表している。図４に示すように平面視において、横筒部２０および副筒部４０の全体は、点検口３１よりも前方に出っ張っておらず、点検口３１よりも後方に出っ張っていない。横筒部２０および副筒部４０の全体は、前後方向に関して、点検口３１の前端３１ｆと後端３１ｂとの間に配置されている。詳しくは図５に示すように、前後方向に関して、横筒部２０および副筒部４０の全体の前端４０ｆは、点検口３１の前端３１ｆと同じ位置または点検口３１の前端３１ｆよりも後方に位置する。前後方向に関して、横筒部２０および副筒部４０の全体の後端２０ｂは、点検口３１の後端３１ｂと同じ位置または点検口３１の後端３１ｂよりも前方に位置する。本実施形態では、副筒部４０の軸線４０ｃは横筒部２０の軸線２０ｃよりも前方に位置する。前後方向に関して、副筒部４０の前端４０ｆは、点検口３１の前端３１ｆと同じ位置または点検口３１の前端３１ｆよりも後方に位置する。前後方向に関して、横筒部２０の後端２０ｂは、点検口３１の後端３１ｂと同じ位置または点検口３１の後端３１ｂよりも前方に位置する。
【００３７】
図５に示すように、枝管接続口４１と流入側接続口２１とは互いに接近しており、連結部２９により連結されている。連結部２９は、枝管接続口４１の後斜め下の部分と流入側接続口２１の前斜め上の部分とを連結している。左方から見たときに、枝管接続口４１の外側の輪郭の延長線４７は、流入側接続口２１の外側の輪郭と交わっている。このように枝管接続口４１と流入側接続口２１とが接近していることにより、排水ます１０の前後方向および上下方向の寸法が小さくなっている。
【００３８】
図３に示すように、枝管接続口４１の端面は流入側接続口２１の端面よりも右方に配置されている。しかし、枝管接続口４１の端面は、左右方向に関して流入側接続口２１の端面と同じ位置に配置されていてもよく、流入側接続口２１の端面よりも左方に配置されていてもよい。ただし、枝管接続口４１の端面が流入側接続口２１の端面よりも左方に配置されている場合、副筒部４０は横筒部２０よりも左方に出っ張ることになる。排水ます１０の全体の左右方向の寸法を小さくする観点からは、枝管接続口４１の端面は、左右方向に関して流入側接続口２１の端面と同じ位置または流入側接続口２１の端面よりも右方に配置されていることが好ましい。本実施形態では、枝管接続口４１の接続しろの長さＬ３は、流入側接続口２１の接続しろの長さＬ４よりも短い。ただし、枝管接続口４１の接続しろの長さＬ３は、流入側接続口２１の接続しろの長さＬ４と等しくてもよい。排水ます１０を前方から見たときに、副筒部４０の下縁４０ａは斜め下がりに傾斜している。ここでは、副筒部４０の下縁４０ａは右斜め下方に傾斜している。
【００３９】
図２に示すように、横筒部２０の下部には支持板２８が設けられている。ここでは、左右に並んだ２枚の支持板２８が設けられているが、支持板２８の枚数は特に限定されない。この支持板２８により、排水ます１０は、図示しない溝等において安定して支持される。
【００４０】
図７に示すように、横筒部２０の内部には、流入側接続口２１から流出側接続口２２に至る主流路２５が形成されている。流入側接続口２１から流入した排水は、主流路２５を流れた後、流出側接続口２２から流出する。副筒部４０の内部には、枝管接続口４１から主流路２５に至る副流路４５が形成されている。枝管接続口４１から流入した排水は、副流路４５を流れた後、主流路２５の排水と合流し、流出側接続口２２から流出する。
【００４１】
図８に示すように、縦筒部３０の一部は中心側に凹んでおり、上方から見て点検口３１の内側に、横壁３４と、横壁３４から下方に延びる縦壁３３とが形成されている。図９に示すように、縦壁３３は、副筒部４０の下半部４２と接続されている。縦壁３３は、副筒部４０の下半部４２から上方に延びている。なお、縦壁３３は鉛直方向に延びていてもよく、鉛直方向から若干傾いた方向に延びていてもよい。図４に示すように縦壁３３は、平面視において右斜め後方に延びている。言い換えると、縦壁３３は、副筒部４０の下半部４２の前端４２ｆから、右方に行くほど横筒部２０の軸線２０ｃに近づくように、軸線２０ｃに対して傾斜した方向に延びている。
【００４２】
図９に示すように、副筒部４０は、枝管接続口４１から水平に延びる水平面４４ａと、水平面４４ａから右斜め下方に延びる傾斜面４４ｂとを有している。図４および図７に示すように平面視において、傾斜面４４ｂは点検口３１の内側に配置され、水平面４４ａは点検口３１の外側に配置されている。
【００４３】
図４に示すように、副筒部４０の下半部４２は、平面視において点検口３１の内側に位置する部分の左端４２ｂから右方に突出する仕切壁４３を有している。仕切壁４３は、平面視において点検口３１の内側に位置しており、副筒部４０の内部と横筒部２０の内部とを部分的に仕切っている。なお、仕切壁４３は必ずしも必要ではなく、省略することも可能である。
【００４４】
図９に示すように、仕切壁４３のうち副筒部４０の軸線４０ｃに近い方の壁面４３ａ、すなわち前側の壁面４３ａは、水平面に対する傾斜角度が後方に行くほど大きくなるように形成されている。言い換えると、壁面４３ａは、水平面に対する傾斜角度が副筒部４０の軸線４０ｃから遠ざかるほど大きくなるように形成されている。壁面４３ａは、副筒部４０の軸線４０ｃから遠ざかるほど急な斜面となっている。本実施形態では、壁面４３ａは、副筒部４０の軸線４０ｃを中心とする円弧面に形成されている。しかし、壁面４３ａの形状は上記円弧面に限らず、他の湾曲面であってもよく、斜めに傾いた平面であってもよい。仕切壁４３のうち副筒部４０の軸線４０ｃから遠い方の壁面４３ｂ、すなわち後側の壁面４３ｂは、鉛直方向に延びる平面である。ただし、仕切壁４３の形状は上記形状に限定される訳ではない。
【００４５】
図４に示すように、副筒部４０の下半部４２は、平面視において点検口３１の内側に位置する右端４２ｒを有している。仕切壁４３は右端４２ｒよりも後方に配置されている。言い換えると、平面視において、仕切壁４３と横筒部２０の軸線２０ｃとの距離Ｌ１は、副筒部４０の下半部４２の右端４２ｒと横筒部２０の軸線２０ｃとの距離Ｌ２よりも短い。
【００４６】
副筒部４０の下半部４２は、仕切壁４３と右端４２ｒとをつなぐ下縁４６を有している。下縁４６は、平面視において曲線状に形成されている。下縁４６は、平面視において、横筒部２０の軸線２０ｃに対する傾斜角度が右方に行くほど小さくなるような曲線状に形成されている。詳しくは、下縁４６は平面視において、仕切壁４３からいったん前方に延び、右斜め前方に延びてから更に右方に延び、右端４２ｒに至っている。平面視において、下縁４６と縦壁３３とは点検口３１の内側にて交わっている。すなわち、平面視において、下縁４６と縦壁３３との交点４６ａは、点検口３１の内側に位置している。
【００４７】
以上が排水ます１０の構成である。なお、前述の通り、排水ます１０Ａは排水ます１０と同様の構成を有している。次に、図１を参照しながら排水管路１の構成について説明する。
【００４８】
排水ます１０，１０Ａは、建物の基礎２の前方に配置されている。主管３の下流端部は、排水ます１０の流入側接続口２１に接続されている。主管４の上流端部は排水ます１０の流出側接続口２２に接続され、主管４の下流端部は排水ます１０Ａの流入側接続口２１に接続されている。平面視において、横筒部２０の軸線２０ｃに対して副筒部４０の軸線４０ｃが位置する側と逆側に、建物の基礎２が設けられている。主管３，４，５は、建物の基礎２と平行に配置されている。
【００４９】
枝管６は、前方に向かって延びる直管部６ａと、曲がり部６ｂとを有している。曲がり部６ｂは、軸線方向が９０度湾曲した管継ぎ手によって構成されている。曲がり部６ｂは、排水ます１０の枝管接続口４１からいったん左方に延びてから、後側に向かって曲がっている。言い換えると、曲がり部６ｂは、平面視において、枝管接続口４１からいったん左方に延びてから、横筒部の２０の軸線２０ｃに対して副筒部４０の軸線４０ｃが位置する側と逆側に向かって曲がっている。枝管７は、直管部６ａと同様の直管部７ａと、曲がり部６ｂと同様の曲がり部７ｂとを有している。曲がり部７ｂは、排水ます１０Ａの枝管接続口４１からいったん左方に延びてから、後側に向かって曲がっている。枝管６，７は基礎２を貫通している。
【００５０】
以上のように、本実施形態に係る排水ます１０によれば、図５に示すように、前後方向に関して、横筒部２０および副筒部４０の全体が点検口３１の前端３１ｆと後端３１ｂとの間に位置している。横筒部２０および副筒部４０は、点検口３１よりも前方および後方に出っ張っていない。したがって、本実施形態によれば、排水ます１０の幅（前後の幅）を小さくすることができる。また、枝管接続口４１は流入側接続口２１の斜め上方に配置されているので、枝管接続口４１が流入側接続口２１の真上に配置されている場合に比べて、排水ます１０の上下方向の寸法を小さくすることができる。そのため、排水ます１０を地中に設置する際に、地面をより深く掘る必要がなく、施工の時間および手間が従来以上にかかってしまうことはない。
【００５１】
ところで、排水ます１０によれば、枝管接続口４１と流入側接続口２１とが接近しているので、排水ます１０の内部において、枝管接続口４１から流入した排水の一部が流入側接続口２１の方に逆流することが懸念される。しかし、本実施形態に係る排水ます１０は、図４に示すように、平面視において点検口３１の内側に位置する部分の左端４２ｂから右方に突出した仕切壁４３を備えている。この仕切壁４３により、枝管接続口４１から流入側接続口２１への逆流を抑制することができる。
【００５２】
このように、本実施形態に係る排水ます１０によれば、枝管接続口４１から流入側接続口２１への逆流を仕切壁４３によって抑制することができるので、横筒部２０および副筒部４０の全体を点検口３１の前端３１ｆと後端３１ｂとの間に配置しても問題がない。よって、本実施形態によれば、枝管接続口４１から流入側接続口２１への逆流を抑えつつ、排水ます１０の幅および上下方向の寸法を小さくすることができる。
【００５３】
また、本実施形態に係る排水ます１０によれば、図９に示すように、仕切壁４３のうち副筒部４０の軸線４０ｃに近い方の壁面４３ａは、水平面に対する傾斜角度が軸線４０ｃから遠ざかるほど大きくなるように形成されている。そのため、副筒部４０内の排水は、仕切壁４３を乗り越えて横筒部２０内に流れ込みにくい。よって、枝管接続口４１から流入側接続口２１への逆流を効果的に抑制することができる。
【００５４】
仕切壁４３の壁面４３ａの具体的形状は特に限定されないが、本実施形態では、図９に示すように、副筒部４０の軸線４０ｃを中心とする円弧面に形成されている。そのため、仕切壁４３の壁面４３ａは副筒部４０の管底部の壁面と滑らかに連続しており、枝管接続口４１から流入する排水を副筒部４０において円滑に流通させることができる。
【００５５】
図４に示すように、平面視において、仕切壁４３と横筒部２０の軸線２０ｃとの距離Ｌ１は、副筒部４０の下半部４２の右端４２ｒと横筒部２０の軸線２０ｃとの距離Ｌ２よりも短い。このように、仕切壁４３が横筒部２０の軸線２０ｃに近い位置に配置されているので、排水ます１０の幅（前後の幅）を抑えつつ、副筒部４０内の流路の幅を十分に確保することができる。本実施形態によれば、枝管接続口４１から流入する排水を流出側接続口２２に向けて円滑に流すことができるので、枝管接続口４１から流入側接続口２１への逆流を効果的に抑制することができる。
【００５６】
また、本実施形態に係る排水ます１０によれば、平面視において、副筒部４０の下半部４２は、横筒部２０の軸線２０ｃに対する傾斜角度が右方に行くほど小さくなるような曲線状の下縁４６を有している。本実施形態によれば、下縁４６を通過して横筒部２０内に流れ込む排水のうち、仕切壁４３に近い左側の部分を通過する排水（図７の矢印Ｗ１参照）の方が、仕切壁４３から遠い右側の部分を通過する排水（図７の矢印Ｗ２参照）よりも軸線方向に流れやすくなる。そのため、副筒部４０内の排水は、仕切壁４３を乗り越えて横筒部２０内に流れ込みにくい。よって、枝管接続口４１から流入側接続口２１への逆流を効果的に抑制することができる。
【００５７】
また、図４に示すように、本実施形態に係る排水ます１０によれば、縦筒部３０は平面視において点検口３１の内側に位置する縦壁３３を有している。縦壁３３は、平面視において、副筒部４０の軸線４０ｃに対して横筒部２０の軸線２０ｃの側と反対の側から、右方に行くほど横筒部２０の軸線２０ｃに近づくように傾斜している。そのため、枝管接続口４１から排水が勢いよく流れてきたとしても、その排水は縦壁３３に当たって横筒部２０内に流れ込む。よって、縦壁３３により排水を横筒部２０内に円滑に導くことができる。また、平面視において、副筒部４０の下縁４６と縦壁３３とは、点検口３１の内側にて交わっている。そのため、副筒部４０内の排水は、より上流側の位置にて横筒部２０内に導かれる。
【００５８】
枝管接続口４１は流入側接続口２１の斜め上方にあれば足りるが、本実施形態では図５に示すように、枝管接続口４１の中心４１ｃは、流入側接続口２１の上端２１ｔよりも上方に位置している。枝管接続口４１の中心４１ｃと流入側接続口２１の中心２１ｃとの高低差を十分に確保することができるので、枝管接続口４１から流入側接続口２１への逆流を効果的に抑制することができる。
【００５９】
図１に示すように、本実施形態によれば、前述のように幅（前後の幅）の小さな排水ます１０，１０Ａを備えているので、排水管路１の幅（前後の幅）を小さくすることができる。よって、排水管路１を狭小地に設置することができる。また、枝管６，７は、枝管接続口４１からいったん枝管接続口４１の開口方向に延びてから、横筒部２０の軸線２０ｃに対して副筒部４０の軸線４０ｃが位置する側と逆側に向かって延びる曲がり部６ｂ，７ｂを有している。図１に矢印Ｗ３で示すように、枝管６，７内の排水は、平面視において横筒部２０の軸線２０ｃを跨ぐように回り込みながら流れる。そのため、排水は枝管接続口４１を通じて副筒部４０内に円滑に流れ込む。また、排水は仕切壁４３の外側を回り込むようにして流れるので、排水が仕切壁４３を乗り越えにくい。よって、枝管接続口４１から流入側接続口２１への逆流を効果的に抑制することができる。
【００６０】
本実施形態によれば、主管３，４，５は建物の基礎２と平行に配置されている。本実施形態によれば、排水管路１を建物の基礎２の近傍にコンパクトに設置することができる。
【００６１】
なお、前記実施形態に係る排水ます１０では、枝管接続口４１は流入側接続口２１の前方に配置されていたが、枝管接続口４１は流入側接続口２１の後方に配置されていてもよい。排水ます１０を横筒部２０の軸線２０ｃを中心として前後対称の形状に形成してもよい。
【符号の説明】
【００６２】
１          排水管路
３，４，５  主管
６，７      枝管
１０        排水ます
２０        横筒部
２１        流入側接続口
２２        流出側接続口
３０        縦筒部
３１        点検口
３３        縦壁
４０        副筒部
４１        枝管接続口
４３        仕切壁
【図１】
0006405280.tif 000002
【図２】
0006405280.tif 000003
【図３】
0006405280.tif 000004
【図４】
0006405280.tif 000005
【図５】
0006405280.tif 000006
【図６】
0006405280.tif 000007
【図７】
0006405280.tif 000008
【図８】
0006405280.tif 000009
【図９】
0006405280.tif 000010